(57)【要約】【課題】管理者は、空気調和機の各種機能をパスワードで管理するか否かを自由に選択することができ、管理されている機能か否かを事前に把握可能な空気調和機のリモコン装置および機能設定方法を提供するようにする。【解決手段】ＬＣＤユニット１３に表示されるメニュー画面には、管理機能メニューと設定項目メニューとがある。ＭＰＵボード１２は、入力部１４からＬＣＤユニット１３に表示されたメニュー画面のうち管理機能メニューが選択されると、管理者であることを確認するためのパスワード入力画面をＬＣＤユニット１３に表示させる。ＭＰＵボード１２は、入力部１４から入力されたパスワードとメモリ１７に記憶されているパスワードデータとを照合し、一致した場合に設定内容の中から選択的に設定された設定項目を表示する。【選択図】        図２
2013098747.tif 000002
【特許請求の範囲】
【請求項１】
管理者と一般ユーザとが共用するリモコン装置を使って空気調和機の各種機能を選択しその設定内容を変更可能な空気調和機のリモコン装置であって、
前記各種機能を選択するメニュー画面および前記設定内容を操作する設定画面を表示する表示部と、
前記各種機能の選択および前記設定内容の操作に必要な情報と、任意のパスワードとを入力する入力部と、
前記入力部で入力された情報に基づいて、選択された前記メニュー画面および前記設定画面を前記表示部に表示しながら空気調和機の各種機能の設定処理を行う制御部と、
前記メニュー画面や前記設定画面を表示するための画像データと、予め設定されたパスワードデータと、予め前記設定内容の中から選択的に設定された設定項目と、前記各種機能の設定処理を行うプログラムデータとを記憶する記憶部と、
を備え、前記表示部に表示される前記メニュー画面には、予め管理者により前記設定内容の中から選択的に設定された設定項目を表示する管理機能メニューと、前記管理者あるいは前記一般ユーザが各設定項目の内容を閲覧する設定項目メニューとがあり、
前記制御部は、前記入力部で前記管理機能メニューが選択されると、パスワード入力画面を前記表示部に表示し、前記入力部から任意のパスワードが入力されると、前記記憶部に記憶されているパスワードデータと入力パスワードとを照合し、一致した場合に前記設定内容の中から選択的に設定された設定項目を表示することを特徴とする空気調和機のリモコン装置。
【請求項２】
前記制御部は、
前記入力部で前記管理機能メニューが選択されると、パスワード入力画面を前記表示部に表示し、前記入力部からパスワードが入力されると、前記記憶部に記憶されているパスワードデータと入力パスワードとを照合し、一致した場合に前記設定内容の中から選択的に設定された設定項目に加えて、設定項目の追加／削除ボタンを表示し、前記追加／削除ボタンが選択されると、前記設定内容の中から選択的に設定された設定項目と、前記一般ユーザも設定変更可能な設定項目とが判別できる一覧表示を行うことを特徴とする請求項１に記載の空気調和機のリモコン装置。
【請求項３】
前記制御部は、
前記表示部に表示する前記設定内容の中から選択的に設定された設定項目と、前記一般ユーザも設定変更可能な設定項目とが判別できる一覧表示として、各設定項目毎に前記管理者のみが設定変更可能な項目か、前記一般ユーザも設定変更可能な項目かを示す属性情報を、前記管理者が前記入力部によって前記属性情報を変更することにより、ある設定項目を設定変更する際にパスワード入力を要する項目とするか否かを選択できるようにしたことを特徴とする請求項２に記載の空気調和機のリモコン装置。
【請求項４】
前記制御部は、
前記入力部で前記設定項目メニューが選択されると、選択された設定項目メニューに関連する設定画面を前記表示部に表示し、当該表示された設定画面が前記管理者のみが設定変更可能な設定項目の場合は、その旨を知らせるマークを追加表示することを特徴とする請求項１〜３のいずれか一つに記載の空気調和機のリモコン装置。
【請求項５】
管理者と一般ユーザとが共用するリモコン装置を使って空気調和機の各種機能を選択しその設定内容を変更可能な機能設定方法であって、
前記リモコン装置は、表示部と、入力部と、制御部と、記憶部とを備え、
前記表示部が、前記各種機能を選択するメニュー画面および前記設定内容を操作する設定画面を表示する表示工程と、
前記入力部が、前記各種機能の選択および前記設定内容の操作に必要な情報と、任意のパスワードとを入力する入力工程と、
前記制御部が、前記入力部で入力された情報に基づいて、選択された前記メニュー画面および前記設定画面を前記表示部に表示しながら空気調和機の各種機能の設定処理を行う設定工程と、
を含み、前記表示工程で表示される前記メニュー画面には、予め管理者により前記設定内容の中から選択的に設定された設定項目を表示する管理機能メニューと、前記管理者あるいは前記一般ユーザが各設定項目の内容を閲覧する設定項目メニューとがあり、
前記設定工程で前記入力部から前記管理機能メニューが選択されると、パスワード入力画面を前記表示部に表示し、前記入力部から任意のパスワードが入力されると、予め設定され前記記憶部に記憶されているパスワードデータと入力パスワードとを照合し、一致した場合に前記設定内容の中から選択的に設定された設定項目を表示することを特徴とする機能設定方法。
【発明の詳細な説明】
【技術分野】
【０００１】
本発明は、空気調和機のリモコン装置および機能設定方法に関し、特に、一般ユーザと管理者とがリモコン装置を共用しながら空気調和機の各種設定を行う空気調和機のリモコン装置および機能設定方法に関する。
【背景技術】
【０００２】
従来は、所定のシステムに備わっている各機能毎にパスワード属性情報が付与され、そのシステムの各機能に対してアクセスする際に、各機能に付与されているパスワード属性情報に基づいて、当該機能のパスワード管理を行い、パスワード属性情報に基づいて、パスワード入力を必要とする機能については、パスワード属性情報に規定されたパスワードが入力されたか否かによって使用の可否を決定する暗証管理システムおよび防災システムおよび暗証管理方法が開示されている（特許文献１参照）。
【先行技術文献】
【特許文献】
【０００３】
【特許文献１】特開平１０−６３９６３号公報
【発明の概要】
【発明が解決しようとする課題】
【０００４】
このように、従来の暗証管理システムは、パスワードを用いてシステムの機能管理を行っていた。しかしながら、このような暗証管理システムにあっては、システム機能の設定や変更に用いるリモコン装置を一般ユーザと管理者とで共用する場合、管理者のみが設定変更可能な機能はパスワードで管理し、一般ユーザでも設定変更可能な機能についてはパスワード入力を不要としたが、パスワードで管理すべき機能が予め固定されており、容易に変更できないため、管理者や一般ユーザにとって使い難いシステムであった。
【０００５】
また、この暗証管理システムは、どの機能がパスワードで管理されているのかを事前に把握することができないという問題があった。つまり、従来の暗証管理システムは、ある機能を設定変更しようとしてパスワードが要求されて初めて管理されている機能であることがわかる。このため、管理されている機能か否かの全体の機能管理状況を把握するには、取り扱い説明書を読むなど、機器の操作とは別の作業が必要であった。
【０００６】
さらに、この暗証管理システムは、各機能単位でパスワードが設定されていることから、複数の機能をまとめて設定変更しようとすると、各機能毎に毎回パスワードが要求されるため、設定変更操作が非常に面倒になるという問題があった。
【０００７】
本発明は、上記に鑑みてなされたものであって、空気調和機の各種機能をパスワードで管理するか否かを管理者が自由に選択することができ、管理されている機能か否かを事前に把握することのできる空気調和機のリモコン装置および機能設定方法を得ることを目的とする。
【課題を解決するための手段】
【０００８】
上述した課題を解決し、目的を達成するために、本発明は、管理者と一般ユーザとが共用するリモコン装置を使って空気調和機の各種機能を選択しその設定内容を変更可能な空気調和機のリモコン装置であって、前記各種機能を選択するメニュー画面および前記設定内容を操作する設定画面を表示する表示部と、前記各種機能の選択および前記設定内容の操作に必要な情報と、任意のパスワードとを入力する入力部と、前記入力部で入力された情報に基づいて、選択された前記メニュー画面および前記設定画面を前記表示部に表示しながら空気調和機の各種機能の設定処理を行う制御部と、前記メニュー画面や前記設定画面を表示するための画像データと、予め設定されたパスワードデータと、予め前記設定内容の中から選択的に設定された設定項目と、前記各種機能の設定処理を行うプログラムデータとを記憶する記憶部と、を備え、前記表示部に表示される前記メニュー画面には、予め管理者により前記設定内容の中から選択的に設定された設定項目を表示する管理機能メニューと、前記管理者あるいは前記一般ユーザが各設定項目の内容を閲覧する設定項目メニューとがあり、前記制御部は、前記入力部で前記管理機能メニューが選択されると、パスワード入力画面を前記表示部に表示し、前記入力部から任意のパスワードが入力されると、前記記憶部に記憶されているパスワードデータと入力パスワードとを照合し、一致した場合に前記設定内容の中から選択的に設定された設定項目を表示することを特徴とする。
【０００９】
また、本発明の好ましい態様によれば、前記制御部は、前記入力部で前記管理機能メニューが選択されると、パスワード入力画面を前記表示部に表示し、前記入力部からパスワードが入力されると、前記記憶部に記憶されているパスワードデータと入力パスワードとを照合し、一致した場合に前記設定内容の中から選択的に設定された設定項目に加えて、設定項目の追加／削除ボタンを表示し、前記追加／削除ボタンが選択されると、前記設定内容の中から選択的に設定された設定項目と、前記一般ユーザも設定変更可能な設定項目とが判別できる一覧表示を行うことが望ましい。
【００１０】
また、本発明の好ましい態様によれば、前記制御部は、前記表示部に表示する前記設定内容の中から選択的に設定された設定項目と、前記一般ユーザも設定変更可能な設定項目とが判別できる一覧表示として、各設定項目毎に前記管理者のみが設定変更可能な項目か、前記一般ユーザも設定変更可能な項目かを示す属性情報を、前記管理者が前記入力部によって前記属性情報を変更することにより、ある設定項目を設定変更する際にパスワード入力を要する項目とするか否かを選択できるようにすることが望ましい。
【００１１】
また、本発明の好ましい態様によれば、前記制御部は、前記入力部で前記設定項目メニューが選択されると、選択された設定項目メニューに関連する設定画面を前記表示部に表示し、当該表示された設定画面が前記管理者のみが設定変更可能な設定項目の場合は、その旨を知らせるマークを追加表示することが望ましい。
【００１２】
また、本発明は、管理者と一般ユーザとが共用するリモコン装置を使って空気調和機の各種機能を選択しその設定内容を変更可能な機能設定方法であって、前記リモコン装置は、表示部と、入力部と、制御部と、記憶部とを備え、前記表示部が、前記各種機能を選択するメニュー画面および前記設定内容を操作する設定画面を表示する表示工程と、前記入力部が、前記各種機能の選択および前記設定内容の操作に必要な情報と、任意のパスワードとを入力する入力工程と、前記制御部が、前記入力部で入力された情報に基づいて、選択された前記メニュー画面および前記設定画面を前記表示部に表示しながら空気調和機の各種機能の設定処理を行う設定工程と、を含み、前記表示工程で表示される前記メニュー画面には、予め管理者により前記設定内容の中から選択的に設定された設定項目を表示する管理機能メニューと、前記管理者あるいは前記一般ユーザが各設定項目の内容を閲覧する設定項目メニューとがあり、前記設定工程で前記入力部から前記管理機能メニューが選択されると、パスワード入力画面を前記表示部に表示し、前記入力部から任意のパスワードが入力されると、予め設定され前記記憶部に記憶されているパスワードデータと入力パスワードとを照合し、一致した場合に前記設定内容の中から選択的に設定された設定項目を表示することを特徴とする。
【発明の効果】
【００１３】
本発明によれば、表示部に表示されるメニュー画面には、予め管理者により設定内容の中から選択的に設定された設定項目を表示する管理機能メニューと、管理者あるいは一般ユーザが各設定項目の内容を閲覧する設定項目メニューとがあり、制御部は、入力部で管理機能メニューが選択されると、パスワード入力画面を表示部に表示し、入力部から任意のパスワードが入力されると、記憶部に記憶されているパスワードデータと入力パスワードとを照合し、一致した場合に設定内容の中から選択的に設定された設定項目を表示する。このため、管理者は、空気調和機の各種機能をパスワードで管理するか否かを自由に選択することができ、管理されている機能か否かを事前に把握できるという効果を奏する。
【図面の簡単な説明】
【００１４】
【図１】図１は、本実施例にかかる空気調和機のリモコン装置の外観図である。
【図２】図２は、本実施例にかかる空気調和機の室内機とリモコン装置の概略構成を示すブロック図である。
【図３】図３は、本実施例にかかる空気調和機のリモコン装置を用いた各種機能の設定動作を説明するフローチャートである。
【図４】図４は、リモコン装置の表示部に表示されるモニター画面の表示例である。
【図５−１】図５−１は、リモコン装置の表示部に表示されるメインメニュー画面の表示例である。
【図５−２】図５−２は、図５−１のメインメニュー画面に表示されるメニューの一覧を示す図である。
【図６−１】図６−１は、リモコン装置の表示部に表示されるパスワード入力画面の表示例である。
【図６−２】図６−２は、リモコン装置の表示部に表示される管理機能メニュー画面の表示例である。
【図６−３】図６−３は、リモコン装置の表示部に表示される管理機能追加削除画面の表示例である。
【図６−４】図６−４は、図６−３の管理機能追加削除画面に表示される機能の一覧を示す図である。
【図６−５】図６−５は、図６−２の管理機能メニューに表示されたＯＮタイマー画面の表示例である。
【図６−６】図６−６は、図６−２の管理機能メニューに表示された設定温度自動復帰の設定内容選択画面の表示例である。
【図６−７】図６−７は、図６−６の設定内容選択画面で動作／解除の設定を選択した場合の表示例である。
【図６−８】図６−８は、図６−６の設定内容選択画面で温度条件の設定を選択した場合の表示例である。
【図７−１】図７−１は、図５−１のメインメニュー画面で省エネメニューを選択した場合の表示例である。
【図７−２】図７−２は、図７−１の省エネメニュー画面でＥＣＯＮＯＭＹを選択した場合の設定画面の表示例である。
【図７−３】図７−３は、図７−１の省エネメニュー画面で設定温度自動復帰を選択した場合の設定内容選択画面の表示例である。
【図７−４】図７−４は、図７−３の設定内容選択画面で動作／解除の設定を選択した場合の表示例である。
【図７−５】図７−５は、図７−３の設定内容選択画面で温度条件の設定を選択した場合の表示例である。
【図８−１】図８−１は、図５−１のメインメニュー画面でタイマーメニューを選択した場合の表示例である。
【図８−２】図８−２は、図８−１のタイマーメニューに表示されたＯＮタイマー画面の表示例である。
【図８−３】図８−３は、図８−１のタイマーメニューに表示されたＯＦＦタイマー画面の表示例である。
【発明を実施するための形態】
【００１５】
以下に、本発明にかかる空気調和機のリモコン装置および機能設定方法の実施の形態を図面に基づいて詳細に説明する。なお、この実施の形態によりこの発明が限定されるものではない。
【実施例】
【００１６】
まず、本実施例にかかる空気調和機のリモコン装置の構成について説明する。図１は、本実施例にかかる空気調和機のリモコン装置の外観図であり、図２は、本実施例にかかる空気調和機の室内機とリモコン装置の概略構成を示すブロック図である。
【００１７】
本実施例にかかる空気調和機のリモコン装置１は、図１に示すように、リモコン装置１の操作情報や操作を行うエアコン室内機の運転情報（運転モード、設定温度、風量等）を表示する表示部としてのＬＣＤユニット１３が上半分側に設けられ、エアコン室内機を操作する入力部１４が下半分側に配置されている。入力部１４は、さらに十字ボタン１４ａ、決定ボタン１４ｂ、運転モードボタン１４ｃ、メニューボタン１４ｄ、キャンセルボタン１４ｅ、風量ボタン１４ｆ、およびオン／オフボタン１４ｇからなっている。運転表示ランプ１４ｈは、ここではＬＥＤが用いられ、オン／オフボタン１４ｇによってエアコン室内機が運転中の間、点灯する。
【００１８】
十字ボタン１４ａは、設定値を変更したり、選択項目を切り替えるためにＬＣＤユニット１３の画面上のカーソル位置を各ボタンの方向に移動させたりする。
【００１９】
決定ボタン１４ｂは、十字ボタン１４ａで変更した設定値を決定したり、切り替えた項目を選択したりするものである。
【００２０】
運転モードボタン１４ｃは、エアコン室内機の運転モード（冷房、暖房、除湿等）をサイクリックに切り替えるものである。
【００２１】
メニューボタン１４ｄは、メインメニュー画面を表示させるものである。
【００２２】
キャンセルボタン１４ｅは、選択中の項目の選択を解除したり、１つ前の階層に戻したりするものである。
【００２３】
風量ボタン１４ｆは、エアコン室内機の送風量（微、弱、中、強）をサイクリックに切り替えるものである。
【００２４】
オン／オフボタン１４ｇは、エアコン室内機の運転開始と運転停止を行うものである。
【００２５】
空気調和機としてのエアコン室内機２の操作や機能設定を行うリモコン装置１は、図２に示すように構成されている。つまり、エアコン室内機２とリモコン装置１は、ここでは、ＲＦモジュールによる双方向無線通信を利用して、リモコン装置１からエアコン室内機２に対して遠隔操作や各種設定を行い、エアコン室内機２から各種運転情報をリモコン装置１が取得すると、リモコン装置１のＬＣＤユニット１３にそれらの情報を表示させて、運転管理や各種設定に利用する。
【００２６】
リモコン装置１は、エアコン室内機２との間で双方向無線通信を行うための送受信機やアンテナ等を含むＲＦモジュール１１、各部を制御するＭＰＵ（マイクロプロセッサユニット）が搭載されたＭＰＵボード１２、メニュー画面や設定画面やエアコン室内機２の運転情報等を表示するＬＣＤユニット１３、エアコン室内機２の運転操作や各種機能の設定を行う入力部１４、時間管理を行う計時専用のＲＴＣ（リアル・タイム・クロック）１５、リモコン装置１の各部に電力を供給する電池１６、および、ＬＣＤユニット１３に表示する画面データや予め設定されたパスワードや各種機能の設定処理を行うプログラムデータ等を記憶する記憶部としてのメモリ１７により構成されている。
【００２７】
エアコン室内機２は、リモコン装置１のＲＦモジュール１１と双方向無線通信を行うＲＦモジュール２１、ＲＦモジュール２１で受信したリモコン装置１からのコマンドに基づいてエアコン室内機２の各部を制御すると共に、エアコン室内機２の運転情報を収集するＭＰＵが搭載されたＭＰＵボード２２、および、計時手段としてのＲＴＣ２３を備えている。
【００２８】
本実施例にかかる空気調和機のリモコン装置１は、空気調和機の各種機能を設定する際に、ＬＣＤユニット１３に表示されるメニュー画面や設定画面における表示内容や表示順序を工夫することで、パスワード入力の有無により管理する空気調和機の各種機能を変更したり、１度に複数の機能設定を行う場合でもパスワードの入力回数を少なくしたり、空気調和機の各種機能のうちどの機能がパスワードで管理されているのかが把握できるようにした点に特徴がある。
【００２９】
図３は、本実施例にかかる空気調和機のリモコン装置を用いた各種機能の設定動作を説明するフローチャートであり、図４〜図８−３に示すモニター画面の表示例を参照しながら設定動作を説明する。
【００３０】
まず、図１のリモコン装置１は、ユーザがオン／オフボタン１４ｇを押下して、エアコン室内機２に電源が投入されると、エアコン室内機２の情報がＲＦモジュール２１、１１を介してリモコン装置１で取得され（ステップＳ１００）、ＬＣＤユニット１３にモニター画面として表示される（ステップＳ１０２）。このモニター画面では、図４に示すように、リビングにあるエアコン室内機２の運転モードが冷房（Ｃｏｏｌ）に設定され、設定温度が２６℃で、風量が強（Ｈｉｇｈ）に設定されていることがわかる。
【００３１】
ここで、ユーザがリモコン装置１のメニューボタン１４ｄを押下すると（ステップＳ１０４でＹｅｓ）、図５−１に示すようなメインメニュー画面が表示される（ステップＳ１０６）。このメインメニュー画面には、風向設定、省エネメニュー、タイマーメニュー、およびメンテナンスメニューが表示されているが、メインメニューの項目はこれに限らず、図５−２に示すように、さらに初期設定メニュー、管理機能メニュー、設定状況一覧、および、非表示の施工／サービスメニューなどがある。これらのメニューをＬＣＤユニット１３に表示するには、リモコン装置１の十字ボタン１４ｂの上下ボタンを使ってメニューをスクロールさせる。
【００３２】
メインメニュー画面には、図５−２に示すように、「０６  管理機能メニュー」がある。この管理機能メニューとは、リモコン装置１を利用して空気調和機の運転内容や各種機能を設定するにあたって、パスワードを要求し、正しいパスワード入力がないと設定操作を受け付けないようにする機能を、管理者が選択する場合の管理者専用の特別なメニューである。この管理機能メニュー以外の設定項目メニューについては、一般ユーザも自由に利用することができる。ここでいう、管理者と一般ユーザとは、業務用エアコンなどの場合、運転管理を行う管理者とエアコンを利用する一般ユーザとの関係に置き換えることができる。また、家庭用エアコンの場合は、子供が悪戯でエアコンの設定を無闇に変更することがないよう、親を管理者、子供を一般ユーザに置き換えることができる。つまり、エアコンの各種機能の設定を管理者と一般ユーザに分けて管理するのは、エアコンの多機能化により設定項目が多くなると、常に適切な設定を行うことが難しく、不適切な設定が行われたことで無駄な電力消費や効率の悪い運転が行われるのを防止するためである。
【００３３】
そこで、リモコン装置１のＬＣＤユニット１３に表示されたメインメニュー画面の中から、何が選択されるかにより、処理が異なってくる（ステップＳ１０８）。リモコン装置１のキャンセルボタン１４ｅが押下されると、図４のモニター画面表示（ステップＳ１０２）に戻る。
【００３４】
また、ステップＳ１０８において、メインメニューの中から「０６  管理機能メニュー」が十字ボタン１４ａで選択され、決定ボタン１４ｂが押下されると、図６−１に示すパスワード入力画面が表示される（ステップＳ１１０）。この画面で管理者が任意のパスワードを入力部により入力すると、リモコン装置１のＭＰＵボード１２は、入力されたパスワードとメモリ１７に記憶されている設定パスワードと照合し、入力されたパスワードが正しければ適正な管理者と判断して（ステップＳ１１２でＹｅｓ）、図６−２に示す管理機能メニュー画面をＬＣＤユニット１３に表示させる（ステップＳ１１４）。
【００３５】
この管理機能メニューに表示されるメニューは、管理者が以前設定した内容により異なる。つまり、図６−２の管理機能メニュー画面に表示されるのは、管理者がパスワードにて管理すべき機能として設定した項目（図６−２では、「ＯＮタイマー」と「設定温度自動復帰」）と、その設定変更（管理すべき機能として設定する項目の追加あるいは削除）を行うための（＋追加／−削除）メニューとなる。管理者がパスワードにて管理すべき機能が無いと判断した場合は、管理機能メニュー画面には（＋追加／−削除）メニューしか表示されないことになる。
【００３６】
図６−２の管理機能メニューにおいて、管理者が何を選択するかによって処理が異なってくる（ステップＳ１１６）。リモコン装置１のキャンセルボタン１４ｅが押下されると、図５−１のメインメニュー画面が表示される（ステップＳ１０６）。
【００３７】
ステップＳ１１６において、管理機能メニューの中から「＋追加／−削除」のメニューが十字ボタン１４ａで選択され、決定ボタン１４ｂが押下されると、図６−３に示す管理機能追加削除画面が表示される（ステップＳ１１８）。この管理機能追加削除画面には、空気調和機の各種機能の設定項目が全て表示されており、各項目毎に管理者のみが設定変更可能でパスワード入力を要求する「Ｌｏｃｋ」と、一般ユーザも設定変更可能な「Ｆｒｅｅ」のどちらに設定されているかの属性を表す属性情報を表示するようになっている。図６−３では、ＯＮタイマー、スケジュールタイマー、消し忘れ防止タイマー、および設定温度自動復帰の４つの機能しか表示されていないが、画面をスクロールさせることにより、図６−４に示すような各項目を順次表示させることができる。
【００３８】
そして、管理者がパスワードをかける機能を変更したい場合は、図６−３に示される管理機能追加削除画面の中の所定の項目を上下の十字ボタン１４ａを使って選択し、左右の十字ボタン１４ａを使って「Ｌｏｃｋ」と「Ｆｒｅｅ」の切り替えを行い、決定ボタン１４ｂを押下することで、設定が変更される（ステップＳ１２０でＹｅｓ）。複数の項目を選択する場合は、個々に決定ボタン１４ｂを押下せずに、変更したい全ての機能を選択した後、決定ボタン１４ｂを押下すれば、複数の設定をまとめて変更できる。設定が変更されると、図６−２に示す、管理機能メニュー画面表示（ステップＳ１１４）に戻る。
【００３９】
また、図６−２の管理機能メニュー画面で表示されている「ＯＮタイマー」機能を選択した場合は（ステップＳ１１６→表示された機能）、図６−５に示すような「ＯＮタイマー」の設定画面が表示される。ここでは、「ＯＮタイマー」が動作（Ｅｎａｂｌｅ）状態にあり、６０分後に運転を開始する設定になっている。この設定内容を変更する場合は、管理者が十字ボタン１４ａを使って変更箇所を選択し、変更内容を選択して、決定ボタン１４ｂを押下すれば良い。設定が変更された場合は（ステップＳ１２０でＹｅｓ）、図６−２に示す、管理機能メニュー画面に戻る（ステップＳ１１４）。また、閲覧のみで設定変更しない場合は、キャンセルボタン１４ｅを押下して管理機能メニュー画面表示（ステップＳ１１４）に戻る。
【００４０】
また、図６−２の管理機能メニュー画面で表示されている「設定温度自動復帰」機能を選択した場合は（ステップＳ１１６→表示された機能）、図６−６に示すような「設定温度自動復帰」の設定内容選択画面が表示される。ここでは、動作（Ｅｎａｂｌｅ）／解除（Ｄｉｓａｂｌｅ）の設定項目と、温度条件の設定（Ｓｅｔｔｉｎｇ）の設定項目とが表示されている。「Ｅｎａｂｌｅ／Ｄｉｓａｂｌｅ」の項目を選択し、決定ボタン１４ｂを押下すると、図６−７に示すように、設定温度自動復帰に関するＥｎａｂｌｅとＤｉｓａｂｌｅの選択画面が表示される。管理者は、十字ボタン１４ａを使ってＥｎａｂｌｅとＤｉｓａｂｌｅの何れかを選択し、決定ボタン１４ｂを押下することで、「設定温度自動復帰」を動作させるか、解除するかを設定できる。また、図６−６において、管理者が温度条件の設定（Ｓｅｔｔｉｎｇ）を選択すると、図６−８に示すように、温度条件の設定画面が表示され、温度条件や復帰時間等の変更を行うことが可能になる。設定が変更された場合は（ステップＳ１２０でＹｅｓ）、図６−２の管理機能メニュー画面表示（ステップＳ１１４）に戻る。また、閲覧のみで設定変更しない場合は、キャンセルボタン１４ｅを押下することで管理機能メニュー画面表示（ステップＳ１１４）に戻る。
【００４１】
以上の設定動作は、管理者がメインメニューから管理機能メニューを選択して、パスワードをかける機能を変更したり、設定項目の設定内容を変更したりする場合である。このように、管理者用の管理機能メニューから入る場合は、最初にパスワード入力画面があって、ここで適正な管理者であることが確認できるため、管理機能メニューの中で複数の設定変更を行う場合であっても、一々パスワードを入力する必要がなくなり、設定変更手続きが煩わしくなくなる。また、パスワードをかける機能の項目を変更できるため、機能管理を柔軟に対応させることが可能となり、例えば管理者が居ない状況下で使われる場合にパスワード入力を省略するなど、状況に応じて使い勝手を改善することができる。さらに、管理機能メニューに表示される機能は、管理者のみが設定変更できる機能をまとめて表示するため、管理者にとってわかりやすくなる。また、管理機能追加削除画面では、全ての機能の設定変更項目を一覧表示し、パスワードが必要な「Ｌｏｃｋ」と、パスワードが不要な「Ｆｒｅｅ」との何れかに属性情報を示すチェックを入れて表示しているため、設定変更項目の状態を容易に把握することができる。
【００４２】
次に、図３のステップＳ１０６のメインメニュー画面表示（図５−１参照）において、管理機能メニュー以外の設定項目メニューが選択された場合について説明する（ステップＳ１０８→設定項目メニュー）。この設定項目メニューは、管理者に限らず一般ユーザもパスワード入力せずに利用することができる。
【００４３】
図５−１に示すメインメニュー画面で、省エネメニューを十字ボタン１４ａで選択し、決定ボタン１４ｂが押下されると（ステップＳ１０８→設定項目メニュー）、図７−１に示すように、設定項目メニューである省エネメニュー画面が表示される（ステップＳ１２６）。この省エネメニューには、「ＥＣＯＮＯＭＹ」、「設定温度自動復帰」、「設定温度範囲制限」、「セットバック／セットアップ」の各メニューが表示されている（ステップＳ１２８）。図７−１では、「ＥＣＯＮＯＭＹ」が選択された状態で、リモコン装置１の決定ボタン１４ｂを押下すると、図７−２に示す、「ＥＣＯＮＯＭＹ」の設定画面が表示される（ステップＳ１３０）。図７−２の「ＥＣＯＮＯＭＹ」の設定は、図６−４に示すように「Ｆｒｅｅ」に該当するため、パスワードを入力することなく一般ユーザも設定変更できる（ステップＳ１３２でＮｏ）。十字ボタン１４ａで動作（Ｅｎａｂｌｅ）あるいは解除（Ｄｉｓａｂｌｅ）を選択して決定ボタン１４ｂが押下されると、設定が変更されて（ステップＳ１３８でＹｅｓ）、図７−１の設定項目メニュー画面に戻る。また、設定変更が行われず、キャンセルボタン１４ｅが押下された場合も（ステップＳ１４０）、現在の設定状態のまま図７−１の設定項目メニュー画面に戻る。
【００４４】
また、図７−１の省エネメニュー画面が表示されている状態で（ステップＳ１２６）、「設定温度自動復帰」が選択された場合は、図７−３に示すように、設定内容選択するメニュー画面が表示される（ステップＳ１２８）。図７−３では、「設定温度自動復帰」の動作（Ｅｎａｂｌｅ）／解除（Ｄｉｓａｂｌｅ）の設定を行うか、温度条件の設定（Ｓｅｔｔｉｎｇ）を行うかを選択する（ステップＳ１２８→選択）。動作／解除の設定を選択した場合は、図７−４に示す設定画面が表示される（ステップＳ１３０でＹｅｓ）。図７−４に示す、「設定温度自動復帰」の設定は、図６−４に示すように、「Ｌｏｃｋ」に該当するため、パスワード入力が必要となる設定項目である。つまり、管理者のみが設定変更可能である（ステップＳ１３２でＹｅｓ）。このため、リモコン装置１のＭＰＵボード１２は、図６−７で使用した画像データに、括弧付きの「Ｐ」マーク（パスワードマーク）２０を付加することにより（ステップＳ１３４）、この設定変更にはパスワード入力が必要なことがわかる。管理者であれば、パスワードを入力して設定変更することも可能であるが（図３のフローチャートでは省略）、一般ユーザの場合は、パスワードを知らないため、キャンセルボタン１４ｅを押下して、ステップＳ１２６の設定項目メニュー画面に戻る。
【００４５】
また、図７−３で温度条件の設定（Ｓｅｔｔｉｎｇ）を選択すると（ステップＳ１２８→選択）、図７−５に示す温度条件と時間の設定画面が表示される（ステップＳ１３０でＹｅｓ）。この「設定温度自動復帰」の設定は、図６−４に示すように、「Ｌｏｃｋ」に該当するため、パスワード入力が必要となる設定項目である。つまり、管理者のみが設定変更可能であるため（ステップＳ１３２でＹｅｓ）、リモコン装置１のＭＰＵボード１２は、図６−８で使用した画像データに、括弧付きの「Ｐ」マーク（パスワードマーク）２０を付加することで（ステップＳ１３４）、これを設定変更するにはパスワード入力が必要なことがわかる。管理者であれば、パスワードを入力して設定変更することも可能であるが（図３のフローチャートでは省略）、一般ユーザの場合は、パスワードを知らないため、キャンセルボタン１４ｅを押下して、ステップＳ１２６の設定項目メニュー画面に戻る。
【００４６】
また、図５−１に示すメインメニュー画面で、タイマーメニューを十字ボタン１４ａで選択し、決定ボタン１４ｂが押下されると（ステップＳ１０８→設定項目メニュー）、図８−１に示すように、設定項目メニューであるタイマーメニュー画面が表示される（ステップＳ１２６）。このタイマーメニューには、「ＯＮタイマー」、「ＯＦＦタイマー」、「Ｗｅｅｋｌｙタイマー」、「消し忘れ防止タイマー」の各メニューが表示されている。図８−１では、「ＯＮタイマー」が選択された状態で、リモコン装置１の決定ボタン１４ｂを押下すると、図８−２に示す、「ＯＮタイマー」の設定画面が表示される（ステップＳ１３０でＹｅｓ）。図８−２の「ＯＮタイマー」の設定は、図６−４に示すように「Ｌｏｃｋ」に該当するため、パスワード入力が必要となる設定項目である。つまり、管理者のみが設定変更可能である（ステップＳ１３２でＹｅｓ）。このため、リモコン装置１のＭＰＵボード１２は、図６−５で使用した画像データに、括弧付きの「Ｐ」マーク（パスワードマーク）２０を付加することで（ステップＳ１３４）、設定変更にはパスワード入力が必要なことがわかる。管理者であれば、パスワードを入力して設定変更することも可能であるが（図３のフローチャートでは省略）、一般ユーザの場合は、パスワードを知らないため、キャンセルボタン１４ｅを押下して、ステップＳ１２６の設定項目メニュー画面に戻る。
【００４７】
さらに、図８−１で「ＯＦＦタイマー」が選択された状態で、リモコン装置１の決定ボタン１４ｂを押下すると、図８−３に示す、「ＯＦＦタイマー」の設定画面が表示される（ステップＳ１３０でＹｅｓ）。図８−３の「ＯＦＦタイマー」の設定は、図６−４に示すように「Ｆｒｅｅ」に該当するため、パスワードを入力することなく一般ユーザも設定変更できる（ステップＳ１３２でＮｏ）。従って、この場合は、括弧付きの「Ｐ」マーク（パスワードマーク）２０は付加しない。十字ボタン１４ａで動作（Ｅｎａｂｌｅ）あるいは解除（Ｄｉｓａｂｌｅ）を選択するか、動作までの時間の設定を変更した後、決定ボタン１４ｂを押下することで設定が変更され（ステップＳ１３８でＹｅｓ）、図８−１の設定項目メニュー画面に戻る。また、設定変更を行わずにキャンセルボタン１４ｅが押下された場合も（ステップＳ１４０）、現在の設定状態のまま図８−１の設定項目メニュー画面に戻る。
【００４８】
以上の設定動作は、一般ユーザあるいは管理者がメインメニューから個別の設定項目メニューを選択して、各設定項目における設定内容を閲覧する場合である。各設定項目における設定画面を閲覧する場合は、当該設定項目が管理者のみ設定変更可能か否かを括弧付きの「Ｐ」マーク（パスワードマーク）２０を付加したため、マークを見るだけで容易に判別可能となる。また、管理者であれば、そこからパスワードを入力して設定変更を行うことも可能となる。このため、上記した管理機能メニューを選択した場合の画像データをそのまま利用して、「Ｐ」マークを付加するだけで良く、画像データを保存するメモリ容量が小さくて済み、低コスト化できるという効果が得られる。
【００４９】
なお、上記実施例では、設定項目メニューを選択した場合に、設定変更時にパスワードを要する設定画面に括弧付きの「Ｐ」マーク（パスワードマーク）２０を付加して判別できるようにしたが、これに限定されず、種々のマーク、あるいは、画面の少なくとも一部の領域の色を変えて判別できるようにしても良い。
【００５０】
なお上記実施例では、「Ｐ」マーク（パスワードマーク）２０が付加された画面で管理者がパスワードを入力すれば設定変更を可能としたが、これに限定されず、「Ｐ」マークが付加された画面から設定変更をできるようにせず、管理機能メニューからのみ設定変更するようにしてもよい。
【産業上の利用可能性】
【００５１】
本発明に係る空気調和機のリモコン装置および機能設定方法は、業務用あるいは家庭用のエアコン等の操作を行う空気調和機のリモコン装置および機能設定方法に好適に利用することができる。
【符号の説明】
【００５２】
１  リモコン装置
１１  ＲＦモジュール
１２  ＭＰＵボード
１３  ＬＣＤユニット
１４  入力部
１５  ＲＴＣ
１６  電池
１７  メモリ
２  エアコン室内機
２０  パスワードマーク
２１  ＲＦモジュール
２２  ＭＰＵボード
２３  ＲＴＣ
【図１】
2013098747.tif 000003
【図２】
2013098747.tif 000004
【図３】
2013098747.tif 000005
【図４】
2013098747.tif 000006
【図５−１】
2013098747.tif 000007
【図５−２】
2013098747.tif 000008
【図６−１】
2013098747.tif 000009
【図６−２】
2013098747.tif 000010
【図６−３】
2013098747.tif 000011
【図６−４】
2013098747.tif 000012
【図６−５】
2013098747.tif 000013
【図６−６】
2013098747.tif 000014
【図６−７】
2013098747.tif 000015
【図６−８】
2013098747.tif 000016
【図７−１】
2013098747.tif 000017
【図７−２】
2013098747.tif 000018
【図７−３】
2013098747.tif 000019
【図７−４】
2013098747.tif 000020
【図７−５】
2013098747.tif 000021
【図８−１】
2013098747.tif 000022
【図８−２】
2013098747.tif 000023
【図８−３】
2013098747.tif 000024